(57)【要約】【課題】カメラ等の外部装置と接続される環境下で、所望の画像を表示部に表示させることが容易な表示装置、表示システムおよび表示用プログラムを提供する。【解決手段】当該表示装置１００にＤＳＣ２００等の外部装置が接続されたことが検出されたら、その時点でＤＳＣ２００から画像を管理する管理情報を取得して管理ＤＢ１０５ｂに記憶することで、画像を管理するための最新の管理情報をＤＳＣ２００等の外部装置を含めて当該表示装置１００で一元管理し、管理情報の指定による所望の画像を表示する指示があった場合には、一元管理している管理情報に従い、自身の画像メモリ１０５ａやＤＳＣ２００内の記憶媒体２０９等から画像を取得して表示部１０９に表示させる。【選択図】        図１
2010212999.tif 000002
【特許請求の範囲】
【請求項１】
画像を表示部に表示する表示装置であって、
画像を記憶する画像メモリと、
外部装置と通信する通信手段と、
前記通信手段を介して前記外部装置と接続されたことを検出する接続検出手段と、
前記接続検出手段で前記外部装置と接続されたことが検出された時に、前記外部装置から画像を管理する管理情報を取得する管理情報取得手段と、
前記管理情報を記憶する管理データベースと、
前記管理データベースに記憶された管理情報を指定して、その管理情報に対応する画像を表示する指示を検出する画像表示指示検出手段と、
前記画像表示指示検出手段で検出された指定の管理情報に含まれるアドレスが前記画像メモリを指定するアドレスであった場合には、そのアドレスで指定された画像を前記画像メモリから読み出す画像読み出し手段と、
前記画像表示指示検出手段で検出された指定の管理情報に含まれるアドレスが前記外部装置内のメモリを指定するアドレスであった場合は、前記外部装置に画像要求を送信する画像要求送信手段と、
前記画像要求に応じて前記外部装置から送信された画像を前記通信手段を介して受信する画像受信手段と、
前記画像読み出し手段で前記画像メモリから読み出した画像又は前記画像受信手段で取得した画像を前記表示部に表示する画像表示手段と、
を有することを特徴とする表示装置。
【請求項２】
前記管理データベースに記憶された管理情報を指定して、その管理情報に対応する画像を第２のアドレスに移動する指示を検出する画像移動指示検出手段と、
前記画像移動指示検出手段で検出された指定の管理情報に含まれる第１のアドレスが前記画像メモリを指定するアドレスであった場合には、当該第１のアドレスで指定された画像を前記第２のアドレスに移動する画像移動手段と、
前記画像移動指示検出手段で検出された指定の管理情報に含まれる前記第１のアドレスが前記外部装置内の前記メモリを指定するアドレスであった場合には、前記外部装置内の前記メモリに記憶された当該第１のアドレスで指定された画像を前記第２のアドレスに移動させる移動要求を前記通信手段を介して前記外部装置に送信する移動要求送信手段と、
前記画像移動手段で移動した画像又は前記移動要求送信手段により送信した前記移動要求で移動させた画像を管理する管理情報に含まれる前記第１のアドレスを前記第２のアドレスに更新する管理情報更新手段と、
をさらに有することを特徴とする請求項１に記載の表示装置。
【請求項３】
前記管理データベースに記憶された管理情報を指定して、その管理情報に対応する画像を第２のアドレスに移動する指示を検出する画像移動指示検出手段と、
前記画像移動指示検出手段で検出された指定の管理情報に含まれる第１のアドレスが前記画像メモリを指定するアドレスであった場合には、当該第１のアドレスで指定された画像を前記第２のアドレスに移動する画像移動手段と、
前記画像移動指示検出手段で検出された指定の管理情報に含まれる前記第１のアドレスが前記外部装置内の前記メモリを指定するアドレスであった場合には、前記外部装置内の前記メモリに記憶された当該第１のアドレスで指定された画像を前記第２のアドレスに移動させる移動要求を前記通信手段を介して前記外部装置に送信する移動要求送信手段と、
前記移動要求送信手段により送信した前記移動要求に応じて、前記外部装置から送信された応答情報を受信する応答受信手段と、
前記応答受信手段で受信した前記応答情報が、前記移動要求に従って前記指定された画像を移動させることができないことを通知する情報であった場合には、当該指定された画像を要求する画像要求を前記外部装置に送信する第２の画像要求送信手段と、
前記第２の画像要求送信手段により送信した前記画像要求に応じて前記外部装置から送信された画像を受信する第２の画像受信手段と、
前記第２の画像受信手段で受信した画像を、前記第２のアドレスに移動する第２の画像移動手段と、
前記画像移動手段で移動した画像又は前記第２の画像移動手段で移動した画像又は前記移動要求送信手段により送信した前記移動要求で移動させた画像を管理する管理情報に含まれる前記第１のアドレスを前記第２のアドレスに更新する管理情報更新手段と、
をさらに有することを特徴とする請求項１記載の表示装置。
【請求項４】
前記管理データベースに記憶された管理情報を指定して、その管理情報に対応する画像を削除する指示を検出する画像削除指示検出手段と、
前記画像削除指示検出手段で検出された指定の管理情報に含まれるアドレスが前記画像メモリを指定するアドレスであった場合には、当該アドレスで指定される画像を削除する画像削除手段と、
前記画像削除指示検出手段で検出された指定の管理情報に含まれるアドレスが前記外部装置内のメモリを指定するアドレスであった場合は、前記外部装置に削除要求を送信する削除要求送信手段と、
前記画像削除手段で削除した画像又は前記削除要求送信手段により送信した前記削除要求で削除させた画像を管理する管理情報を削除する管理情報削除手段と、
をさらに有することを特徴とする請求項１又は２に記載の表示装置。
【請求項５】
ユーザ操作により表示する画像の管理情報を指定する画像表示指示手段をさらに有することを特徴とする請求項１に記載の表示装置。
【請求項６】
ユーザ操作により移動する画像の管理情報を指定する画像移動指示手段をさらに有することを特徴とする請求項２又は３に記載の表示装置。
【請求項７】
ユーザ操作により削除する画像の管理情報を指定する画像削除指示手段をさらに有することを特徴とする請求項４に記載の表示装置。
【請求項８】
前記外部装置から送信された、前記管理情報を指定する情報を含む画像表示要求を前記通信手段を介して受信する表示要求受信手段をさらに有し、
前記画像表示指示検出手段は、前記表示要求受信手段で受信した前記画像表示要求に含まれる前記管理情報を指定する情報で指定される管理情報が管理する画像を表示する指示として検出することを特徴とする請求項１に記載の表示装置。
【請求項９】
前記外部装置から送信された、前記管理情報を指定する情報を含む画像移動要求を前記通信手段を介して受信する移動要求受信手段をさらに有し、
前記画像移動指示検出手段は、前記移動要求受信手段で受信した前記画像移動要求に含まれる前記管理情報を指定する情報で指定される管理情報が管理する画像を移動する指示として検出することを特徴とする請求項２又は３に記載の表示装置。
【請求項１０】
前記外部装置から送信された、前記管理情報を指定する情報を含む画像削除要求を前記通信手段を介して受信する削除要求受信手段をさらに有し、
前記画像削除指示検出手段は、前記削除要求受信手段で受信した前記画像削除要求に含まれる前記管理情報を指定する情報で指定される管理情報が管理する画像を削除する指示として検出することを特徴とする請求項４に記載の表示装置。
【請求項１１】
前記通信手段は、
前記外部装置と１対１で接続して通信する第１の通信手段と、
ネットワークを介して前記外部装置又は他の外部装置と通信する第２の通信手段とを有し、
前記第１の通信手段で取得した接続情報を基に、前記第２の通信手段で前記外部装置と接続し、前記管理情報取得手段、前記画像要求送信手段、前記画像受信手段で行われる通信は、前記第２の通信手段を介して行われることを特徴とする請求項１〜１０のいずれか一つに記載の表示装置。
【請求項１２】
前記外部装置は、カメラであることを特徴とする請求項１〜１１のいずれか一つに記載の表示装置。
【請求項１３】
カメラと、画像を表示部に表示する表示装置で構成された表示システムであって、
前記表示装置は、
画像を記憶する第３の画像メモリと、
前記カメラ又は他の外部装置と通信する第３の通信手段と、
前記第３の通信手段を介して前記カメラと接続されたことを検出する接続検出手段と、
前記接続検出手段で前記カメラと接続されたことが検出された時に、前記カメラから画像を管理する管理情報を取得する管理情報取得手段と、
前記管理情報を記憶する管理データベースと、
前記管理データベースに記憶された管理情報を指定して、その管理情報に対応する画像を表示する指示を検出する画像表示指示検出手段と、
前記画像表示指示検出手段で検出された指定の管理情報に含まれるアドレスが前記第３の画像メモリを指定するアドレスであった場合には、そのアドレスで指定された画像を前記第３の画像メモリから読み出す画像読み出し手段と、
前記画像表示指示検出手段で検出された指定の管理情報に含まれるアドレスが前記カメラ又は他の外部装置内のメモリを指定するアドレスであった場合は、前記カメラ又は前記外部装置に画像要求を送信する第３の画像要求送信手段と、
前記画像要求に応じて前記カメラ又は前記他の外部装置から送信された画像を前記第３の通信手段を介して受信する画像受信手段と、
前記画像読み出し手段で前記画像メモリから読み出した画像又は前記画像受信手段で取得した画像を前記表示部に表示する画像表示手段と、を有し、
前記カメラは、
被写体を撮像する撮像手段と、
前記撮像手段で撮像した画像を記憶する第４の画像メモリと、
前記画像を管理する管理情報を生成して記憶する管理情報生成手段と、
前記表示装置と通信する第４の通信手段と、
前記第４の通信手段により受信した管理情報要求に応じて、前記第４の通信手段により前記管理情報を前記表示装置に送信する管理情報送信手段と、
前記第４の通信手段により受信した画像要求に応じて、前記第４の通信手段により前記第４の画像メモリに記憶された画像を前記表示装置に送信する画像送信手段と、を有することを特徴とする表示システム。
【請求項１４】
前記カメラは、
前記撮像手段で撮像された画像の縮小画像を生成して前記第４の画像メモリに記憶する縮小画像生成手段をさらに有し、
前記管理情報は、前記撮像画像が記憶された前記第４の画像メモリのアドレス、およびその画像の縮小画像が記憶された前記第４の画像メモリのアドレスの情報を含むことを特徴とする請求項１３に記載の表示システム。
【請求項１５】
前記表示装置は、
前記管理データベースに記憶された管理情報を指定して、その管理情報に対応する画像を第２のアドレスに移動する指示を検出する画像移動指示検出手段と、
前記画像移動指示検出手段で検出された指定の管理情報に含まれる第１のアドレスが前記第１の画像メモリを指定するアドレスであった場合には、当該第１のアドレスで指定された画像を前記第２のアドレスに移動する第３の画像移動手段と、
前記画像移動指示検出手段で検出された指定の管理情報に含まれる前記第１のアドレスが前記カメラ又は前記他の外部装置であった場合に、前記カメラ又は前記他の外部装置に記憶された前記第１のアドレスで指定される画像を前記第２のアドレスに移動させる移動要求を前記第３の通信手段を介して前記カメラ又は前記他の外部装置に送信する移動要求送信手段と、
前記第１の画像移動手段で移動した画像又は前記移動要求送信手段により送信した前記移動要求で移動させた画像を管理する管理情報に含まれる前記第１のアドレスを前記第２のアドレスに更新する第３の管理情報更新手段と、をさらに有し、
前記カメラは、
前記表示装置から送信された、前記第４の画像メモリを指定する前記第１のアドレスと前記第２のアドレスを含む前記移動要求を前記第４の通信手段により受信する移動要求受信手段と、
前記移動要求受信手段で受信した前記第２のアドレスが、前記第４の画像メモリを指定するアドレスであった場合には、前記第１のアドレスで指定された画像を前記第２のアドレスに移動する第４の画像移動手段と、
前記要求受信手段で受信した前記第２のアドレスが、前記第４の画像メモリを指定するアドレスでない場合には、前記第１のアドレスで指定された画像を前記第４の通信手段を介して前記第２のアドレス宛に送信する第４の画像送信手段と、
前記第４の画像移動手段で移動した画像又は前記第４の画像送信手段で送信した画像の画像管理情報に含まれる前記第１のアドレスを前記第２のアドレスに更新する第４の管理情報更新手段と、をさらに有することを特徴とする請求項１３に記載の表示システム。
【請求項１６】
前記表示装置は、
前記管理データベースに記憶された管理情報を指定して、その管理情報に対応する画像を削除する指示を検出する画像削除指示検出手段と、
前記画像削除指示検出手段で検出された指定の管理情報に含まれるアドレスが前記第３の画像メモリを指定するアドレスであった場合には、当該アドレスで指定される画像を削除する画像削除手段と、
前記画像削除指示検出手段で検出された指定の管理情報に含まれるアドレスが前記カメラ又は前記他の外部装置内のメモリを指定するアドレスであった場合は、前記カメラ又は前記他の外部装置に削除要求を送信する削除要求送信手段と、
前記画像削除手段で削除した画像又は前記削除要求送信手段により送信した前記削除要求で削除させた画像を管理する管理情報を削除する第３の管理情報削除手段と、をさらに有し、
前記カメラは、
前記表示装置から送信された、前記第４の画像メモリを指定するアドレスを含む前記削除要求を前記第４の通信手段により受信する削除要求受信手段と、
前記削除要求受信手段で受信したアドレスで指定される画像を前記第４のメモリから削除する第４の画像削除手段と、
前記第４の画像削除手段で削除した画像を管理する管理情報を削除する第４の管理情報削除手段と、をさらに有することを特徴とする請求項１３に記載の表示システム。
【請求項１７】
画像を記憶する画像メモリと、外部装置と通信する通信手段と、管理情報を記憶する管理データベースとを有して、画像を表示部に表示する表示装置が備えるコンピュータに、
前記通信手段を介して前記外部装置と接続されたことを検出する接続検出手順と、
前記接続検出手順で前記外部装置と接続されたことが検出された時に、前記外部装置から画像を管理する管理情報を取得して前記管理データベースに記憶させる管理情報取得手順と、
前記管理データベースに記憶された管理情報を指定して、その管理情報に対応する画像を表示する指示を検出する画像表示指示検出手順と、
前記画像表示指示検出手順で検出された指定の管理情報に含まれるアドレスが前記画像メモリを指定するアドレスであった場合には、そのアドレスで指定された画像を前記画像メモリから読み出す画像読み出し手順と、
前記画像表示指示検出手段で検出された指定の管理情報に含まれるアドレスが前記外部装置内のメモリを指定するアドレスであった場合は、前記外部装置に画像要求を送信する画像要求送信手順と、
前記画像要求に応じて前記外部装置から送信された画像を前記通信手段を介して受信する画像受信手順と、
前記画像読み出し手段で前記画像メモリから読み出した画像又は前記画像受信手段で取得した画像を前記表示部に表示する画像表示手順と、
を実行させることを特徴とする表示用プログラム。
【発明の詳細な説明】
【技術分野】
【０００１】
本発明は、カメラ等の外部装置に接続して画像を表示部に表示する表示装置、表示システムおよび表示用プログラムに関するものである。
【背景技術】
【０００２】
従来、例えばデジタルカメラで撮像した画像（主画像）をインターネット上のファイルサーバに蓄積しておき、携帯電話やデジタルカメラを操作することで所望の画像ＩＤや縮小画像を指定し、表示装置の表示部に主画像を表示する表示システムが提案されている（例えば、特許文献１，２参照）。
【０００３】
【特許文献１】特開２００５−２３６３４５号公報
【特許文献２】特開２００５−３４０９９８号公報
【発明の開示】
【発明が解決しようとする課題】
【０００４】
しかしながら、従来の表示システムの場合、ファイルサーバの状態によっては主画像を表示装置の表示部に表示できないという問題がある。例えば、画像ＩＤや縮小画像を指定しても、対応する主画像がファイルサーバから他のメディアや装置に移動済みであったり、ネットワーク上の記録装置に所望の画像が存在するときにネットワーク接続されていなかったりする場合があるためである。
【０００５】
近年では、ＤＬＮＡ（Ｄｉｇｉｔａｌ  Ｌｉｖｉｎｇ  Ｎｅｔｗｏｒｋ  Ａｌｌｉａｎｃｅ）の普及に伴い、デジタル家電のネットワーク化が進んでいる。ここで、上記のような表示システム環境によると、家庭内に複数台のＤＬＮＡ対応装置が存在する場合に、所望の画像を表示装置の表示部に表示させる際にその画像がどのサーバ装置にあるかの選択・指示が煩わしいものとなる。
【０００６】
本発明は、上記に鑑みてなされたものであって、カメラ等の外部装置と接続される環境下で、所望の画像を表示部に表示させることが容易な表示装置、表示システムおよび表示用プログラムを提供することを目的とする。
【課題を解決するための手段】
【０００７】
上述した課題を解決し、目的を達成するために、本発明にかかる表示装置は、画像を表示部に表示する表示装置であって、画像を記憶する画像メモリと、外部装置と通信する通信手段と、前記通信手段を介して前記外部装置と接続されたことを検出する接続検出手段と、前記接続検出手段で前記外部装置と接続されたことが検出された時に、前記外部装置から画像を管理する管理情報を取得する管理情報取得手段と、前記管理情報を記憶する管理データベースと、前記管理データベースに記憶された管理情報を指定して、その管理情報に対応する画像を表示する指示を検出する画像表示指示検出手段と、前記画像表示指示検出手段で検出された指定の管理情報に含まれるアドレスが前記画像メモリを指定するアドレスであった場合には、そのアドレスで指定された画像を前記画像メモリから読み出す画像読み出し手段と、前記画像表示指示検出手段で検出された指定の管理情報に含まれるアドレスが前記外部装置内のメモリを指定するアドレスであった場合は、前記外部装置に画像要求を送信する画像要求送信手段と、前記画像要求に応じて前記外部装置から送信された画像を前記通信手段を介して受信する画像受信手段と、前記画像読み出し手段で前記画像メモリから読み出した画像又は前記画像受信手段で取得した画像を前記表示部に表示する画像表示手段と、を有することを特徴とする。
【０００８】
また、本発明にかかる表示装置は、上記発明において、前記管理データベースに記憶された管理情報を指定して、その管理情報に対応する画像を第２のアドレスに移動する指示を検出する画像移動指示検出手段と、前記画像移動指示検出手段で検出された指定の管理情報に含まれる第１のアドレスが前記画像メモリを指定するアドレスであった場合には、当該第１のアドレスで指定された画像を前記第２のアドレスに移動する画像移動手段と、前記画像移動指示検出手段で検出された指定の管理情報に含まれる前記第１のアドレスが前記外部装置内の前記メモリを指定するアドレスであった場合には、前記外部装置内の前記メモリに記憶された当該第１のアドレスで指定された画像を前記第２のアドレスに移動させる移動要求を前記通信手段を介して前記外部装置に送信する移動要求送信手段と、前記画像移動手段で移動した画像又は前記移動要求送信手段により送信した前記移動要求で移動させた画像を管理する管理情報に含まれる前記第１のアドレスを前記第２のアドレスに更新する管理情報更新手段と、をさらに有することを特徴とする。
【０００９】
また、本発明にかかる表示装置は、上記発明において、前記管理データベースに記憶された管理情報を指定して、その管理情報に対応する画像を第２のアドレスに移動する指示を検出する画像移動指示検出手段と、前記画像移動指示検出手段で検出された指定の管理情報に含まれる第１のアドレスが前記画像メモリを指定するアドレスであった場合には、当該第１のアドレスで指定された画像を前記第２のアドレスに移動する画像移動手段と、前記画像移動指示検出手段で検出された指定の管理情報に含まれる前記第１のアドレスが前記外部装置内の前記メモリを指定するアドレスであった場合には、前記外部装置内の前記メモリに記憶された当該第１のアドレスで指定された画像を前記第２のアドレスに移動させる移動要求を前記通信手段を介して前記外部装置に送信する移動要求送信手段と、前記移動要求送信手段により送信した前記移動要求に応じて、前記外部装置から送信された応答情報を受信する応答受信手段と、前記応答受信手段で受信した前記応答情報が、前記移動要求に従って前記指定された画像を移動させることができないことを通知する情報であった場合には、当該指定された画像を要求する画像要求を前記外部装置に送信する第２の画像要求送信手段と、前記第２の画像要求送信手段により送信した前記画像要求に応じて前記外部装置から送信された画像を受信する第２の画像受信手段と、前記第２の画像受信手段で受信した画像を、前記第２のアドレスに移動する第２の画像移動手段と、前記画像移動手段で移動した画像又は前記第２の画像移動手段で移動した画像又は前記移動要求送信手段により送信した前記移動要求で移動させた画像を管理する管理情報に含まれる前記第１のアドレスを前記第２のアドレスに更新する管理情報更新手段と、をさらに有することを特徴とする。
【００１０】
また、本発明にかかる表示装置は、上記発明において、前記管理データベースに記憶された管理情報を指定して、その管理情報に対応する画像を削除する指示を検出する画像削除指示検出手段と、前記画像削除指示検出手段で検出された指定の管理情報に含まれるアドレスが前記画像メモリを指定するアドレスであった場合には、当該アドレスで指定される画像を削除する画像削除手段と、前記画像削除指示検出手段で検出された指定の管理情報に含まれるアドレスが前記外部装置内のメモリを指定するアドレスであった場合は、前記外部装置に削除要求を送信する削除要求送信手段と、前記画像削除手段で削除した画像又は前記削除要求送信手段により送信した前記削除要求で削除させた画像を管理する管理情報を削除する管理情報削除手段と、をさらに有することを特徴とする。
【００１１】
また、本発明にかかる表示装置は、上記発明において、ユーザ操作により表示する画像の管理情報を指定する画像表示指示手段をさらに有することを特徴とする。
【００１２】
また、本発明にかかる表示装置は、上記発明において、ユーザ操作により移動する画像の管理情報を指定する画像移動指示手段をさらに有することを特徴とする。
【００１３】
また、本発明にかかる表示装置は、上記発明において、ユーザ操作により削除する画像の管理情報を指定する画像削除指示手段をさらに有することを特徴とする。
【００１４】
また、本発明にかかる表示装置は、上記発明において、前記外部装置から送信された、前記管理情報を指定する情報を含む画像表示要求を前記通信手段を介して受信する表示要求受信手段をさらに有し、前記画像表示指示検出手段は、前記表示要求受信手段で受信した前記画像表示要求に含まれる前記管理情報を指定する情報で指定される管理情報が管理する画像を表示する指示として検出することを特徴とする。
【００１５】
また、本発明にかかる表示装置は、上記発明において、前記外部装置から送信された、前記管理情報を指定する情報を含む画像移動要求を前記通信手段を介して受信する移動要求受信手段をさらに有し、前記画像移動指示検出手段は、前記移動要求受信手段で受信した前記画像移動要求に含まれる前記管理情報を指定する情報で指定される管理情報が管理する画像を移動する指示として検出することを特徴とする。
【００１６】
また、本発明にかかる表示装置は、上記発明において、前記外部装置から送信された、前記管理情報を指定する情報を含む画像削除要求を前記通信手段を介して受信する削除要求受信手段をさらに有し、前記画像削除指示検出手段は、前記削除要求受信手段で受信した前記画像削除要求に含まれる前記管理情報を指定する情報で指定される管理情報が管理する画像を削除する指示として検出することを特徴とする。
【００１７】
また、本発明にかかる表示装置は、上記発明において、前記通信手段は、前記外部装置と１対１で接続して通信する第１の通信手段と、ネットワークを介して前記外部装置又は他の外部装置と通信する第２の通信手段とを有し、前記第１の通信手段で取得した接続情報を基に、前記第２の通信手段で前記外部装置と接続し、前記管理情報取得手段、前記画像要求送信手段、前記画像受信手段で行われる通信は、前記第２の通信手段を介して行われることを特徴とする。
【００１８】
また、本発明にかかる表示装置は、上記発明において、前記外部装置は、カメラであることを特徴とする。
【００１９】
また、本発明にかかる表示システムは、カメラと、画像を表示部に表示する表示装置で構成された表示システムであって、前記表示装置は、画像を記憶する第３の画像メモリと、前記カメラ又は他の外部装置と通信する第３の通信手段と、前記第３の通信手段を介して前記カメラと接続されたことを検出する接続検出手段と、前記接続検出手段で前記カメラと接続されたことが検出された時に、前記カメラから画像を管理する管理情報を取得する管理情報取得手段と、前記管理情報を記憶する管理データベースと、前記管理データベースに記憶された管理情報を指定して、その管理情報に対応する画像を表示する指示を検出する画像表示指示検出手段と、前記画像表示指示検出手段で検出された指定の管理情報に含まれるアドレスが前記第３の画像メモリを指定するアドレスであった場合には、そのアドレスで指定された画像を前記第３の画像メモリから読み出す画像読み出し手段と、前記画像表示指示検出手段で検出された指定の管理情報に含まれるアドレスが前記カメラ又は他の外部装置内のメモリを指定するアドレスであった場合は、前記カメラ又は前記外部装置に画像要求を送信する第３の画像要求送信手段と、前記画像要求に応じて前記カメラ又は前記他の外部装置から送信された画像を前記第３の通信手段を介して受信する画像受信手段と、前記画像読み出し手段で前記画像メモリから読み出した画像又は前記画像受信手段で取得した画像を前記表示部に表示する画像表示手段と、を有し、前記カメラは、被写体を撮像する撮像手段と、前記撮像手段で撮像した画像を記憶する第４の画像メモリと、前記画像を管理する管理情報を生成して記憶する管理情報生成手段と、前記表示装置と通信する第４の通信手段と、前記第４の通信手段により受信した管理情報要求に応じて、前記第４の通信手段により前記管理情報を前記表示装置に送信する管理情報送信手段と、前記第４の通信手段により受信した画像要求に応じて、前記第４の通信手段により前記第４の画像メモリに記憶された画像を前記表示装置に送信する画像送信手段と、を有することを特徴とする。
【００２０】
また、本発明にかかる表示システムは、上記発明において、前記カメラは、前記撮像手段で撮像された画像の縮小画像を生成して前記第４の画像メモリに記憶する縮小画像生成手段をさらに有し、前記管理情報は、前記撮像画像が記憶された前記第４の画像メモリのアドレス、およびその画像の縮小画像が記憶された前記第４の画像メモリのアドレスの情報を含むことを特徴とする。
【００２１】
また、本発明にかかる表示システムは、上記発明において、前記表示装置は、前記管理データベースに記憶された管理情報を指定して、その管理情報に対応する画像を第２のアドレスに移動する指示を検出する画像移動指示検出手段と、前記画像移動指示検出手段で検出された指定の管理情報に含まれる第１のアドレスが前記第１の画像メモリを指定するアドレスであった場合には、当該第１のアドレスで指定された画像を前記第２のアドレスに移動する第３の画像移動手段と、前記画像移動指示検出手段で検出された指定の管理情報に含まれる前記第１のアドレスが前記カメラ又は前記他の外部装置であった場合に、前記カメラ又は前記他の外部装置に記憶された前記第１のアドレスで指定される画像を前記第２のアドレスに移動させる移動要求を前記第３の通信手段を介して前記カメラ又は前記他の外部装置に送信する移動要求送信手段と、前記第１の画像移動手段で移動した画像又は前記移動要求送信手段により送信した前記移動要求で移動させた画像を管理する管理情報に含まれる前記第１のアドレスを前記第２のアドレスに更新する第３の管理情報更新手段と、をさらに有し、前記カメラは、前記表示装置から送信された、前記第４の画像メモリを指定する前記第１のアドレスと前記第２のアドレスを含む前記移動要求を前記第４の通信手段により受信する移動要求受信手段と、前記移動要求受信手段で受信した前記第２のアドレスが、前記第４の画像メモリを指定するアドレスであった場合には、前記第１のアドレスで指定された画像を前記第２のアドレスに移動する第４の画像移動手段と、前記要求受信手段で受信した前記第２のアドレスが、前記第４の画像メモリを指定するアドレスでない場合には、前記第１のアドレスで指定された画像を前記第４の通信手段を介して前記第２のアドレス宛に送信する第４の画像送信手段と、前記第４の画像移動手段で移動した画像又は前記第４の画像送信手段で送信した画像の画像管理情報に含まれる前記第１のアドレスを前記第２のアドレスに更新する第４の管理情報更新手段と、をさらに有することを特徴とする。
【００２２】
また、本発明にかかる表示システムは、上記発明において、前記表示装置は、前記管理データベースに記憶された管理情報を指定して、その管理情報に対応する画像を削除する指示を検出する画像削除指示検出手段と、前記画像削除指示検出手段で検出された指定の管理情報に含まれるアドレスが前記第３の画像メモリを指定するアドレスであった場合には、当該アドレスで指定される画像を削除する画像削除手段と、前記画像削除指示検出手段で検出された指定の管理情報に含まれるアドレスが前記カメラ又は前記他の外部装置内のメモリを指定するアドレスであった場合は、前記カメラ又は前記他の外部装置に削除要求を送信する削除要求送信手段と、前記画像削除手段で削除した画像又は前記削除要求送信手段により送信した前記削除要求で削除させた画像を管理する管理情報を削除する第３の管理情報削除手段と、をさらに有し、前記カメラは、前記表示装置から送信された、前記第４の画像メモリを指定するアドレスを含む前記削除要求を前記第４の通信手段により受信する削除要求受信手段と、前記削除要求受信手段で受信したアドレスで指定される画像を前記第４のメモリから削除する第４の画像削除手段と、前記第４の画像削除手段で削除した画像を管理する管理情報を削除する第４の管理情報削除手段と、をさらに有することを特徴とする。
【００２３】
また、本発明にかかる表示用プログラムは、画像を記憶する画像メモリと、外部装置と通信する通信手段と、管理情報を記憶する管理データベースとを有して、画像を表示部に表示する表示装置が備えるコンピュータに、前記通信手段を介して前記外部装置と接続されたことを検出する接続検出手順と、前記接続検出手順で前記外部装置と接続されたことが検出された時に、前記外部装置から画像を管理する管理情報を取得して前記管理データベースに記憶させる管理情報取得手順と、前記管理データベースに記憶された管理情報を指定して、その管理情報に対応する画像を表示する指示を検出する画像表示指示検出手順と、前記画像表示指示検出手順で検出された指定の管理情報に含まれるアドレスが前記画像メモリを指定するアドレスであった場合には、そのアドレスで指定された画像を前記画像メモリから読み出す画像読み出し手順と、前記画像表示指示検出手段で検出された指定の管理情報に含まれるアドレスが前記外部装置内のメモリを指定するアドレスであった場合は、前記外部装置に画像要求を送信する画像要求送信手順と、前記画像要求に応じて前記外部装置から送信された画像を前記通信手段を介して受信する画像受信手順と、前記画像読み出し手段で前記画像メモリから読み出した画像又は前記画像受信手段で取得した画像を前記表示部に表示する画像表示手順と、を実行させることを特徴とする。
【発明の効果】
【００２４】
本発明にかかる表示装置、表示システムおよび表示用プログラムによれば、当該表示装置にカメラ等の外部装置が接続されたことが検出されたら、その時点で外部装置から画像を管理する管理情報を取得して管理データベースに記憶することで、画像を管理するための最新の管理情報を外部装置を含めて当該表示装置で一元管理するので、管理情報の指定による所望の画像を表示する指示があった場合には、一元管理している管理情報に従い、自身の画像メモリや外部装置内のメモリから画像を取得して表示部に表示させることができるという効果を奏する。
【発明を実施するための最良の形態】
【００２５】
以下、図面を参照して、本発明の表示装置、表示システムおよび表示用プログラムを実施するための最良の形態について説明する。本発明は、実施の形態に限らず、本発明の趣旨を逸脱しない範囲であれば、種々の変形が可能である。
【００２６】
（実施の形態１）
図１は、本発明の実施の形態１の表示装置を備える表示システムの概略ハードウェア構成例を示すブロック図である。本実施の形態１の表示システム１は、表示装置１００と、外部装置の一つであるカメラとしてのＤＳＣ（Ｄｉｇｉｔａｌ  Ｓｔｉｌｌ  Ｃａｍｅｒａ：以下“ＤＳＣ”と表記する）２００と、ネットワーク上に配置されて他の外部装置の一つとなり画像等を格納したファイルサーバ３００とにより構築されている。
【００２７】
まず、ＤＳＣ２００は、撮像部２０１と、画像処理部２０２と、表示部２０３と、操作部２０４と、ＣＰＵ２０５と、ＤＭＡ制御部（Ｄｉｒｅｃｔ  Ｍｅｍｏｒｙ  Ａｃｃｅｓｓ  Ｃｏｎｔｒｏｌｌｅｒ）２０６と、ＲＯＭ２０７と、ＲＡＭ２０８と、記憶媒体２０９と、第１の通信部２１０とを備える。撮像部２０１は、被写体を撮像するためのもので、撮像レンズ、シャッタ等を含む撮像光学系やＣＣＤ等の撮像素子からなる。画像処理部２０２は、撮像部２０１の撮像素子で撮像された画像データに対してガンマ補正、色補正処理等の各種処理を施すためのものである。表示部２０３は、ＤＳＣ２００の背面側に配置されて、再生画像、スルー画などの画像表示や、各種設定情報等を表示するためのもので、ＬＣＤやＥＬＤ等の薄型表示デバイスからなる。操作部２０４は、ＤＳＣ２００の適所に配置されたレリーズボタン、モード選択スイッチ、ズームボタン等の各種ボタン・スイッチ類からなる。
【００２８】
ＣＰＵ２０５は、ＤＳＣ２００の全体の制御を司るものであるが、ＤＭＡ制御部２０６を備えることでＣＰＵ２０５を介さずにデータ転送を可能とされている。ＲＯＭ２０７は、ＣＰＵ２０５用の制御プログラム等を固定的に格納したものである。ＲＡＭ２０８は、一時記憶メモリとして各種情報を一時的に格納するためのものであり、ＳＤＲＡＭ等が用いられている。記憶媒体２０９は、撮像部２０１で撮像した画像を記憶するための画像メモリ（第４の画像メモリ）であり、例えばｘＤ−ピクチャーカード（登録商標）やコンパクトフラッシュ（登録商標）カード等のＤＳＣ本体に着脱自在な媒体やＨＤＤからなる。第１の通信部２１０は、表示装置１００と１対１で接続して通信するための通信部（表示装置１００と通信する第４の通信部）であり、本実施の形態１にあっては、ＵＳＢケーブルによって接続されるＵＳＢ端子からなる。
【００２９】
ここで、撮像部２０１、画像処理部２０２、表示部２０３、ＲＡＭ２０８、記憶媒体２０９および第１の通信部２１０は、ＤＭＡ制御部２０６に接続され、操作部２０４、ＲＯＭ２０７およびＤＭＡ制御部２０６は、ＣＰＵ２０５に接続されている。
【００３０】
また、表示装置１００は、例えば汎用のパーソナルコンピュータ等からなり、第１の通信部１０１と、操作部１０２と、ＣＰＵ１０３と、ＤＭＡ制御部１０４と、内蔵ＨＤＤ１０５と、ＲＡＭ１０６と、記憶媒体１０７と、第２の通信部１０８と、表示部１０９とを備える。第１の通信部１０１は、ＤＳＣ２００との間で１対１で接続して通信するための通信部であり、本実施の形態１にあっては、ＵＳＢケーブルによって接続される第１の通信部２１０と同一規格のＵＳＢ端子からなる。なお、第１の通信部１０１，２１０は、ＩｒＤＡや“ＴｒａｎｓｆｅｒＪｅｔ（トランスファージェット）”等の近接１対１通信方式によるものであってもよい。
【００３１】
操作部１０２は、各種データや各種指示情報を入力するためのものであり、キーボードやマウス等の入力デバイスからなる。操作部１０２は、本実施の形態１では、ユーザ操作により表示する画像の管理情報を指定する画像表示指示手段や、ユーザ操作により移動する画像の管理情報を指定する画像移動指示手段や、ユーザ操作により削除する画像の管理情報を指定する画像削除指示手段として機能する。
【００３２】
ＣＰＵ１０３は、表示装置１００の全体の制御を司るものであるが、ＤＭＡ制御部１０４を備えることでＣＰＵ１０３を介さずにデータ転送を可能とされている。内蔵ＨＤＤ１０５は、表示装置１００に内蔵された不揮発性メモリであり、ＣＰＵ１１０用の制御プログラム等を格納しているとともに、画像を記憶するための画像メモリ１０５ａや、画像の管理情報を記憶する管理ＤＢ（管理データベース）１０５ｂの領域を有する。ＲＡＭ１０６は、一時記憶メモリとして各種情報を一時的に格納するためのものである。
【００３３】
また、記憶媒体１０７は、画像を記憶するためのバックアップ用メディアであって、画像メモリの一つをなし、本実施の形態１では、例えばＣＤ−ＲＯＭが用いられている。なお、バックアップ用の記憶媒体１０７としては、ＣＤ−ＲＯＭに限らず、ＤＶＤやブルーレイディスク、さらには、ｘＤ−ピクチャーカード（登録商標）やコンパクトフラッシュ（登録商標）カード等のメディアであってもよい。
【００３４】
第２の通信部１０８は、ファイルサーバ３００が存在するインターネット３０１に対してルータ３０２を介して接続して通信するための通信部であり、本実施の形態１にあっては、ＬＡＮケーブルによってルータ３０２と接続される有線ＬＡＮ送受信モジュールからなる。表示部１０９は、画像、その他の各種情報を表示するためのものであり、ＬＣＤやＥＬＤ等の表示デバイスからなる。
【００３５】
ここで、第１の通信部１０１、ＲＡＭ１０６、記憶媒体１０７、第２の通信部１０８および表示部１０９、ＤＭＡ制御部１０４に接続され、操作部１０２、内蔵ＨＤＤ１０５およびＤＭＡ制御部１０４は、ＣＰＵ１０３に接続されている。
【００３６】
また、本実施の形態１のＤＳＣ２００のＣＰＵ２０５は、ＲＯＭ２０７に格納された制御プログラムにより実行される複数の機能部を備える。図２は、ＤＳＣ２００のＣＰＵ２０５が備える機能部を示す機能ブロック図である。ＣＰＵ２０５は、管理情報生成部２２１、縮小画像生成部２２２、要求受信部２２３、管理情報送信部２２４、画像送信部２２５、画像移動部２２６、画像削除部２２７、管理情報更新部２２８、管理情報削除部２２９の各機能部を備える。
【００３７】
各機能部の機能の概要について説明する。まず、管理情報生成部２２１は、撮像部２０１によって被写体像を撮像したとき、後述するように、その画像を管理するためのアドレス、その他の管理情報を生成して記憶媒体２０９に記憶する処理を実行する。縮小画像生成部２２２は、撮像部２０１で撮像された画像の縮小画像（サムネイル画像）を生成して記憶媒体２０９に記憶する処理を実行する。なお、管理情報には、撮像画像が記憶された記憶媒体２０９のアドレス、およびその画像の縮小画像が記憶された記憶媒体２０９のアドレスの情報が含まれる。
【００３８】
また、要求受信部２２３は、表示装置１００側からの管理情報要求、画像要求、移動要求あるいは削除要求があった場合に、これら要求を受信する処理を実行する。管理情報送信部２２４は、第１の通信部２１０および要求受信部２２３で受信した管理情報要求に応じて、第１の通信部２１０によりＤＳＣ２００が有する管理情報を表示装置１００に送信する処理を実行する。画像送信部２２５は、第１の通信部２１０および要求受信部２２３で受信した画像要求に応じて、第１の通信部２１０により記憶媒体２０９に記憶された画像を表示装置１００に送信する処理を実行する。また、画像送信部２２５は、第１の通信部２１０および要求受信部２２３で受信した移動要求における第２のアドレスが、記憶媒体２０９を指定するアドレスでない場合には、移動要求における第１のアドレスで指定された画像を第１の通信部２１０を介して第２のアドレス宛に送信する処理も実行する。
【００３９】
さらに、画像移動部２２６は、第１の通信部２１０および要求受信部２２３で受信した移動要求における第２のアドレスが、記憶媒体２０９を指定するアドレスであった場合には、移動要求における第１のアドレスで指定された画像を第２のアドレスに移動する処理を実行する。また、画像削除部２２７は、要求受信部２２３が、表示装置１００から送信された、記憶媒体２０９を指定するアドレスを含む削除要求を第１の通信部２１０により受信した場合に、要求受信部２２３で受信したアドレスで指定される画像を記憶媒体２０９から削除する処理を実行する。
【００４０】
また、管理情報更新部２２８は、画像移動部２２６で移動した画像又は画像送信部２２５で送信した画像の画像管理情報に含まれる第１のアドレスを第２のアドレスに更新する処理を実行する。さらに、管理情報削除部２２９は、画像削除部２２７で削除した画像を管理する管理情報を削除する処理を実行する。
【００４１】
また、本実施の形態１の表示装置１００のＣＰＵ１０３は、内蔵ＨＤＤ１０５に格納された表示用プログラムにより実行される複数の機能部を備える。図３は、表示装置１００のＣＰＵ１０３が備える機能部を示す機能ブロック図である。ＣＰＵ１０３は、接続検出部１２１、要求受信部１２２、指示検出部１２３、要求送信部１２４、画像受信部１２５、応答受信部１２６、管理情報取得部１２７、画像読み出し部１２８、画像表示部１２９、画像移動部１３０、画像削除部１３１、管理情報更新部１３２、管理情報削除部１３３の各機能部を備える。
【００４２】
各機能部の機能の概要について説明する。まず、接続検出部１２１は、第１の通信部１０１を介して外部装置、ここではＤＳＣ２００と接続されたことを検出する処理を実行する。また、管理情報取得部１２７は、接続検出部１２１でＤＳＣ２００と接続されたことが検出された時に、ＤＳＣ２００から画像を管理する管理情報を取得する処理を実行する。
【００４３】
また、指示検出部１２３は、管理ＤＢ１０５ｂに記憶された管理情報を指定して、その管理情報に対応する画像を表示する指示や、画像を移動する指示や、画像を削除する指示があった場合にその指示を検出する処理を実行する。また、要求受信部１２２は、ＤＳＣ２００から送信された、管理情報を指定する情報を含む画像表示要求や画像移動要求や画像削除要求を第１の通信部２１０を介して受信する処理を実行する。指示検出部１２３は、この表示要求受信部１２２で受信した画像表示要求、画像移動要求又は画像削除要求に含まれる管理情報を指定する情報で指定される管理情報が管理する画像を表示、移動又は削除する指示として検出する。すなわち、指示検出部１２３は、表示装置１００において操作部１０２により指定される表示、移動又は削除する画像の管理情報による指示を検出する機能と、ＤＳＣ２００において操作部２０４のリモート操作により指定される表示、移動又は削除する画像の管理情報による指示を、要求受信部１２２を介して検出する機能とを有する。
【００４４】
また、画像読み出し部１２８は、指示検出部１２３で検出された画像表示の指定の管理情報に含まれるアドレスが画像メモリ１０５ａ又は記憶媒体１０７を指定するアドレスであった場合には、そのアドレスで指定された画像を画像メモリ１０５ａ又は記憶媒体１０７から読み出す処理を実行する。
【００４５】
また、要求送信部１２４は、指示検出部１２３で検出された画像表示の指定の管理情報に含まれるアドレスが外部装置、例えばＤＳＣ２００内の記憶媒体２０９を指定するアドレスであった場合は、ＤＳＣ２００に画像要求を送信する処理を実行する。要求送信部１２４は、また、指示検出部１２３で検出された画像移動の指定の管理情報に含まれる第１のアドレスが外部装置、例えばＤＳＣ２００内の記憶媒体２０９を指定するアドレスであった場合には、ＤＳＣ２００内の記憶媒体２０９に記憶された第１のアドレスで指定された画像を第２のアドレスに移動させる移動要求を第１の通信部１０１を介してＤＳＣ２００に送信する処理も実行する。要求送信部１２４は、さらに、指示検出部１２３で検出された画像削除の指定の管理情報に含まれるアドレスが外部装置、例えばＤＳＣ２００内の記憶媒体２０９を指定するアドレスであった場合は、ＤＳＣ２００に削除要求を送信する処理も実行する。
【００４６】
さらに、画像受信部１２５は、画像要求に応じてＤＳＣ２００から送信された画像を第１の通信部１０１を介して受信する処理を実行する。応答受信部１２６は、要求送信部１２４により送信した移動要求に応じて、外部装置、例えばＤＳＣ２００から送信された応答情報を受信する処理を実行する。ここで、要求送信部１２４は、応答受信部１２６で受信した応答情報が、移動要求に従って指定された画像を移動させることができないことを通知する情報であった場合には、当該指定された画像を要求する画像要求をＤＳＣ２００に送信する処理を実行する。また、画像受信部１２５は、要求送信部１２４により送信した画像要求に応じてＤＳＣ２００から送信された画像を受信する処理を実行する。
【００４７】
また、画像表示部１２９は、画像読み出し部１２８で画像メモリ１０５ａ又は記憶媒体１０７から読み出した画像又は画像受信部１２５で取得した画像を表示部１０９に表示する処理を実行する。画像移動部１３０は、指示検出部１２３で検出された移動要求の指定の管理情報に含まれる第１のアドレスが画像メモリ１０５ａを指定するアドレスであった場合には、第１のアドレスで指定された画像を第２のアドレスに移動する処理を実行する。また、画像削除部１３１は、指示検出部１２３で検出された画像削除の指定の管理情報に含まれるアドレスが画像メモリ１０５ａを指定するアドレスであった場合には、そのアドレスで指定される画像を削除する処理を実行する。
【００４８】
さらに、管理情報更新部１３２は、画像移動部１３０で移動した画像又は要求送信部１２４により送信した移動要求で移動させた画像を管理する管理情報に含まれる第１のアドレスを第２のアドレスに更新する処理を実行する。また、管理情報削除部１３３は、画像削除部１３１で削除した画像又は要求送信部１２４により送信した削除要求で削除させた画像を管理する管理情報を削除する処理を実行する。
【００４９】
つづいて、ＤＳＣ２００において撮像画像から縮小画像および画像管理情報を生成する処理について説明する。図４は、ＣＰＵ２０５による制御の下に実行されるＤＳＣ２００における処理制御例を示す概略フローチャートである。撮像部２０１により被写体の撮像が行なわれると（ステップＴ１０１）、撮像画像のデータは記憶媒体２０９に記録される（ステップＴ１０２）。ついで、縮小画像生成部２２２は、撮像画像の縮小画像を生成する（ステップＴ１０３）。また、管理情報生成部２２１は、撮像画像の画像管理情報を生成する（ステップＴ１０４）。そして、縮小画像生成部２２２、管理情報生成部２２１は、生成した縮小画像と画像管理情報を記憶媒体２０９に記録する（ステップＴ１０５）。
【００５０】
図５は、ＤＳＣ２００に装着された記憶媒体２０９内のファイル構成を示す説明図である。例えば、ルートディレクトリーの下に、撮像画像（フルサイズ画像）を示す“ＤＣＩＭ”ディレクトリーと、縮小画像を示す“Ｒｅｄｕｃｅｄ”ディレクトリーと、管理情報用データベースを示す“ＤＢ”ディレクトリーとの３つのディレクトリーがあり、各々のディレクトリーの下に同一ファイル名（例えば、“Ｐ１０１０００１”）で関連付けられた撮像画像ファイル、縮小画像ファイル、画像管理情報ファイルが存在するようにツリー構造で構成されている。なお、図５に示す例では、画像管理情報を独立した１つのＸＭＬファイルとして管理するようにしたが、縮小画像内のＥｘｉｆ情報の記載領域に埋め込む形で記録するようにしてもよい。
【００５１】
図６は、上記のような処理によりＤＳＣ２００内の記憶媒体２０９に記録される画像管理情報の中身の一例を示す説明図である。すなわち、ＤＳＣ２００で撮像した画像の縮小画像を生成し、縮小画像のデータを記憶媒体２０９に保存する際に、図６に示すような画像管理情報も生成される。図６の例では、＜ｆｕｌｌｓｉｚｅＩｍａｇｅ＞＜ｌｏｃａｔｉｏｎ＞が“ＤＣＩＭ”であることにより撮像画像がＤＳＣ２００内の所定のアドレスにあることを示し、＜ｒｅｄｕｃｅｄＩｍａｇｅ＞＜ｌｏｃａｔｉｏｎ＞が“Ｒｅｄｕｃｅｄ”であることにより縮小画像がＤＳＣ２００内で“Ｒｅｄｕｃｅｄ”ディレクトリー下の撮像画像と同一ファイル名の所定のアドレスにあることを示している。なお、図６中の撮像画像のアドレスは相対パスで表記している。
【００５２】
外部装置であるファイルサーバ３００や、表示装置１００の画像メモリ１０５ａ、記憶媒体１０７に格納された撮像画像に関する画像管理情報の中身も、これに準ずる。図７に示す画像管理情報の中身の一例においては、撮像画像（フルサイズ画像）がインターネット３０１上のファイルサーバ３００にあることを示している。また、縮小画像は、この図７に示す画像管理情報と同じ場所に格納されていることを示している。
【００５３】
また、図８に示す画像管理情報の中身の一例においては、撮像画像（フルサイズ画像）が表示装置１００の内蔵ＨＤＤ１０５の画像メモリ１０５ａの領域にあることを示している。また、縮小画像は、この図８に示す画像管理情報と同じ場所に格納されていることを示している。
【００５４】
同様に、図９に示す画像管理情報の中身の一例においては、撮像画像（フルサイズ画像）が表示装置１００の記憶媒体１０７であるＣＤ−ＲＯＭにバックアップされていることを示している。この際、どのＣＤ−ＲＯＭにバックアップしたかが分かりやすいように、例えば、“ｔｒａｖｅｌ  ２００７．０７．３０”の如くコメントが付加されている。このようなコメントは、表示装置１００でＣＤ−ＲＯＭにバックアップ処理を行う際にユーザが付加することができる。また、縮小画像は、この図９に示す画像管理情報と同じ場所に格納されていることを示している。
【００５５】
つづいて、本実施の形態１における表示装置１００のＣＰＵ１０３による処理制御例について説明する。図１０は、ＣＰＵ１０３による制御の下に実行される表示装置１００における処理制御例を示す概略フローチャートである。ここでは、表示装置１００にＤＳＣ２００をＵＳＢケーブルで接続して画像表示させる場合を想定する。
【００５６】
まず、ＵＳＢケーブルによってＤＳＣ２００が接続されたことを検出する（ステップＳ１０１）。この検出処理は、接続検出部１２１により実行される。ＤＳＣ２００の接続が検出されると、ＣＰＵ１０３は、ＤＳＣ２００に対して画像管理情報の要求を要求送信部１２４によって送信することで、管理情報取得部１２７が、ＤＳＣ２００から画像管理情報と縮小画像とを取得する（ステップＳ１０２）。取得した画像管理情報は、管理ＤＢ１０５ｂに記録し、縮小画像は画像メモリ１０５ａに記録する（ステップＳ１０３）。
【００５７】
この後、縮小画像を表示部１０９に表示し、操作部１０２の操作による指示で、ユーザに所望の縮小画像を選択させる（ステップＳ１０４）。この場合に選択する縮小画像は、１つでもよく、或いは、複数でもよい。ユーザにより所望の縮小画像が指示・選択されたら、選択された縮小画像に対応する主画像を取得する処理を実行する（ステップＳ１０５）。この取得処理で、主画像を取得できた場合には（ステップＳ１０６：Ｙｅｓ）、画像表示部１２９が、取得した主画像を表示部１０９に表示する（ステップＳ１０７）。一方、主画像を取得できなかった場合には（ステップＳ１０６：Ｎｏ）、表示部１０９にエラーメッセージを表示する（ステップＳ１０８）。
【００５８】
ここで、ステップＳ１０２，Ｓ１０３の処理例について、さらに説明する。図１１は、図１０に示したステップＳ１０２，Ｓ１０３の処理例を示す概略フローチャートである。まず、管理情報取得部１２７は、ＤＳＣ２００からＤＳＣ名やシリアル番号を取得する（ステップＳ１１１）。管理情報取得部１２７は、さらに、画像管理情報と縮小画像との組を１組取得する（ステップＳ１１２）。そして、縮小画像は表示装置１００内の内蔵ＨＤＤ１０５の画像メモリ１０５ａに記録する（ステップＳ１１３）。また、画像管理情報におけるフルサイズ画像に関する情報を、図１２に示すように更新し（ステップＳ１１４）、表示装置１００内の内蔵ＨＤＤ１０５の管理ＤＢ１０５ｂに記録する（ステップＳ１１５）。このような処理を、全ての縮小画像について繰り返し行う（ステップＳ１１６）。
【００５９】
図１２は、図６に示したようにＤＳＣ２００によって作成された画像管理情報と縮小画像を、表示装置１００自身の内蔵ＨＤＤ１０５に取得した際の状態を示す説明図である。フルサイズ画像は、ＤＳＣ２００の記憶媒体２０９内にあるので、その保存場所を指すように変更した上で、管理ＤＢ１０５ｂ内に記録される。また、ステップＳ１０１で取得したＤＳＣ名やシリアル番号などの情報も併せて記録する。また、縮小画像は、ＤＳＣ２００から取得し、表示装置１００自身の内蔵ＨＤＤ１０５の画像メモリ１０５ａの領域に記録させるものであり、縮小画像の保存場所を示すアドレスもそれに合せて更新させる。
【００６０】
なお、図１１に示すステップＳ１１２において、画像管理情報が縮小画像内のＥｘｉｆ情報の記載領域に埋め込まれている場合には、縮小画像を取得した後、その中から画像管理情報を抽出する処理を行えばよい。
【００６１】
図１３は、図１１に示した処理後の、表示装置１００の内蔵ＨＤＤ１０５上のファイル構成を示す説明図である。なお、画像管理情報に関しては、１レコード毎に図６に示した内容が登録されていればよく、ＸＭＬ形式のファイルである必要はない。
【００６２】
図１４は、管理ＤＢ１０５ｂにおける画像管理情報のテーブル構造を示す模式図である。このテーブル構造は、画像管理情報テーブル、画像情報テーブル、デバイス情報テーブルの階層構造からなる。画像管理情報テーブルは、フルサイズ画像情報と縮小画像情報とを関連付けるためのテーブルであり、画像管理情報ＩＤ、フルサイズ画像情報ＩＤ、縮小画像情報ＩＤが格納されている。また、画像情報テーブルは、画像情報（ファイル名、撮像日、画像に対するコメントなど）を管理するためのテキスト形式のテーブルであり、デバイスＩＤ、アドレス情報が一緒に格納されることにより、当該画像が保存されているアドレスやデバイス情報が関連付けられている。画像情報テーブルと画像管理情報テーブルとの間は、画像情報ＩＤと、フルサイズ画像情報ＩＤ・縮小画像情報ＩＤとにより関連付けられている。デバイス情報テーブルは、デバイス情報（ＤＳＣ，内蔵ＨＤＤ、ファイルサーバといったデバイス種別、デバイスに対するコメントなど）を管理するためのテーブルで、画像情報テーブルのデバイスＩＤと関連付けるためのデバイスＩＤとともに格納されている。
【００６３】
このような構成の下、前述の図１０に示したフローチャート中のステップＳ１０５の制御処理例について、図１５を参照して説明する。図１５は、ステップＳ１０５に対応する表示システム１における表示制御処理例を示す説明図である。
【００６４】
まず、表示装置１００において、表示対象の画像管理情報を選択する（ステップＳ１２１）。ここで、管理ＤＢ１０５ｂに記憶された縮小画像をユーザ操作で指定して、その縮小画像に対応する主画像を表示させるものであり、指示検出部１２３は、管理ＤＢ１０５ｂから、指定された縮小画像に関連付けられた画像管理情報を指定して、その画像管理情報に対応する画像を表示する指示として検出する。
【００６５】
ここで、指示検出部１２３で検出された指定の画像管理情報に含まれるアドレスが内蔵ＨＤＤ１０５の画像メモリ１０５ａを指定するアドレスであった場合には、画像読み出し部１２８は、そのアドレスで指定された画像を画像メモリ１０５ａから読み出す（ステップＳ１２２）。また、指示検出部１２３で検出された指定の画像管理情報に含まれるアドレスが記憶媒体１０７であるＣＤ−ＲＯＭを指定するアドレスであった場合には、画像読み出し部１２８は、ＣＤ−ＲＯＭの装てんを確認した後、そのアドレスで指定された画像をＣＤ−ＲＯＭから読み出す（ステップＳ１２３）。
【００６６】
一方、指示検出部１２３で検出された指定の画像管理情報に含まれるアドレスがＤＳＣ１００の記憶媒体２０９を指定するアドレスであった場合には、ＤＳＣ接続を確認した後、要求送信部１２４によってＤＳＣ２００に対して画像要求を送信し、この画像要求に応じてＤＳＣ２００の画像送信部２２５から送信された画像を第１の通信部１０１を介して画像受信部１２５が受信することで、結果的に、ＤＳＣ２００から画像を読み出す（ステップＳ１２４）。
【００６７】
また、指示検出部１２３で検出された指定の画像管理情報に含まれるアドレスがファイルサーバ３００を指定するアドレスであった場合には、インターネット３０１に対する接続を確認した後、要求送信部１２４によってファイルサーバ３００に対して画像要求を送信し、この画像要求に応じてファイルサーバ３００から送信された画像を第２の通信部１０８を介して画像受信部１２５が受信することで、結果的に、ファイルサーバ３００から画像を読み出す（ステップＳ１２５）。
【００６８】
なお、図１５に示す処理中、ＣＤ−ＲＯＭ装てんの確認、ＤＳＣ接続確認、インターネット接続確認において、未装てんだったり、未接続であった場合には、特に図示しないが、以降の処理を中止し、エラーリターンする。
【００６９】
ついで、画像の削除処理例について、図１６を参照して説明する。図１６は、削除制御処理例を示す説明図である。まず、表示装置１００において、削除対象の画像管理情報を選択する（ステップＳ１３１）。ここで、管理ＤＢ１０５ｂに記憶された縮小画像をユーザ操作で指定して、その縮小画像に対応する主画像を削除させるものであり、指示検出部１２３は、管理ＤＢ１０５ｂから、指定された縮小画像に関連付けられた画像管理情報を指定して、その画像管理情報に対応する画像を削除する指示として検出する。
【００７０】
そして、指示検出部１２３で検出された指定の画像管理情報に含まれるアドレスに応じた画像を削除する（ステップＳ１３２）。まず、指示検出部１２３で検出された指定の画像管理情報に含まれるアドレスが内蔵ＨＤＤ１０５の画像メモリ１０５ａを指定するアドレスであった場合には、画像削除部１３１は、そのアドレスで指定される画像を画像メモリ１０５ａから削除する。また、指示検出部１２３で検出された指定の画像管理情報に含まれるアドレスが記憶媒体１０７であるＣＤ−ＲＯＭを指定するアドレスであった場合には、削除不能であるであるので、削除処理を実行しない。
【００７１】
一方、指示検出部１２３で検出された指定の画像管理情報に含まれるアドレスがＤＳＣ１００の記憶媒体２０９を指定するアドレスであった場合には、要求送信部１２４によってＤＳＣ２００に対して削除要求を送信する。これにより、ＤＳＣ２００においては、この削除要求に応じて画像削除部２２７によりそのアドレスで指定される画像を記憶媒体２０９から削除し、管理情報削除部２２９により削除した画像を管理する管理情報を削除する（ステップＴ１３１）。
【００７２】
同様に、指示検出部１２３で検出された指定の画像管理情報に含まれるアドレスがファイルサーバ３００内のメモリを指定するアドレスであった場合には、要求送信部１２４によってファイルサーバ３００に対して削除要求を送信する。これにより、ファイルサーバ３００においては、この削除要求に応じてそのアドレスで指定される画像をメモリから削除する（ステップＵ１３１）。
【００７３】
また、表示装置１００においては、管理情報削除部１３３が、画像削除部１３１で削除した画像又は要求送信部１２４により送信した削除要求で削除させた画像を管理する管理情報を管理ＤＢ１０５ｂから削除する（ステップＳ１３３）。
【００７４】
なお、図１６に示す処理において、デバイスや媒体にアクセスできなかった場合には、画像は削除されない。また、画像削除処理に失敗した場合には、画像管理情報も削除されない。また、図１６中には、削除要求に対する応答を図示していないが、表示装置１００では削除されたことを確認してから対応する画像管理情報を削除するので、実際には、ＤＳＣ１００やファイルサーバ３００からの削除応答が必要である。
【００７５】
（実施の形態２）
図１７は、本発明の実施の形態２の表示装置を備える表示システムの概略ハードウェア構成例を示すブロック図である。実施の形態１で示した部分と同一又は相当する部分は同一符号を用いて示す。本実施の形態２の表示システム１も、表示装置１００と、外部装置の一つであるＤＳＣ２００と、ネットワーク上に配置されたファイルサーバ３００とにより構築されている。
【００７６】
ここで、本実施の形態２の表示装置１００は、通信部として、ＤＳＣ２００と１対１で接続して通信する第１の通信部１１１と、ルータ３０２に接続されたネットワーク、例えばＬＡＮ３０３を介してＤＳＣ２００と通信する第２の通信部１０８とを有する。これに対応して、ＤＳＣ２００は、表示装置１００の第１の通信部１１１と１対１で接続して通信する第１の通信部２１１と、ＬＡＮ３０３の無線ＬＡＮアクセスポイント３０３ａに無線接続されて第２の通信部１０８を介して表示装置１００と通信する第２の通信部２１２とを有する。本実施の形態２では、第１の通信部１１１，２１１は、ＩｒＤＡ接続による近接１対１通信のための送受信モジュールからなり、第２の通信部１０８は、ルータ３０２にＬＡＮケーブルで接続される有線ＬＡＮ送受信モジュールからなり、第２の通信部２１２は、無線ＬＡＮアクセスポイント３０３ａに無線接続される無線ＬＡＮ送受信モジュールからなる。
【００７７】
本実施の形態２の表示装置１００は、このように２種類の通信部１１１，１０８を備えることで、第１の通信部１１１において近接１対１通信で取得した接続情報を基に、第２の通信部１０８でＤＳＣ２００と接続し、管理情報取得部１２７、要求送信部１２４、画像受信部１２５等で行われる通信は、第２の通信部１０８を介して無線ＬＡＮ接続により行なわれる。
【００７８】
図１８は、２種類の通信方式の切換え制御例を示す概略フローチャートである。まず、ＤＳＣ２００を表示装置１００に近接させることで、第１の通信部１１１，２１１同士をＩｒＤＡにより相手で特定される近接１対１接続状態とする（ステップＳ１４１，Ｔ１４１）。相手が特定されるこの近接１対１接続により、ＤＳＣ２００は、表示装置１００側から無線ＬＡＮで接続するために必要な接続情報、例えば暗号化情報、接続先情報を自動的に取得する（ステップＴ１４２）。そして、第１の通信部１１１，２１１同士のＩｒＤＡ接続を切断し（ステップＳ１４３，Ｔ１４３）、上記の接続情報を基に、ＤＳＣ２００の第２の通信部２１２を無線ＬＡＮアクセスポイント３０３ａに接続することで、表示装置１００とＤＳＣ２００とを無線ＬＡＮ接続状態とする（ステップＳ１４４，Ｔ１４４）。これにより、ＤＳＣ２００は、表示装置１００から離しても接続状態が確保される。
【００７９】
このような無線ＬＡＮ接続状態において、表示装置１００の管理情報取得部１２７は、無線ＬＡＮを介してＤＳＣ２００から画像管理情報を取得する（ステップＳ１４５）。また、ＤＳＣ２００は、無線ＬＡＮを介して表示装置１００からリモート制御情報を取得する（ステップＴ１４５）。これにより、ユーザは、ＤＳＣ２００を操作することで、表示装置１００のリモート制御が可能となる。そこで、以降は、ＤＳＣ２００において再生モードに遷移させ、取得したリモート制御情報に従い、コマ送り（画像表示）、削除、移動といった制御コマンドを表示装置１００に送信することで、無線ＬＡＮを介して表示装置１００での表示処理を行わせる（ステップＴ１４６）。
【００８０】
ついで、画像の移動処理について説明する。図１９は、画像の移動制御処理例を示す説明図である。ここでは、移動元となる第１のアドレスが表示装置１００の内蔵ＨＤＤ１０５の画像メモリ１０５ａであり、移動先となる第２のアドレスがファイルサーバ３００の場合を想定している。
【００８１】
まず、この処理は、管理ＤＢ１０５ｂに記憶された管理情報を指定して、その管理情報に対応する画像を第２のアドレスに移動する指示を指示検出部１２３が検出することにより行なわれる。移動指示を検出すると、移動元画像の選択および移動先の決定がなされる（ステップＳ１５１）。ここで、指示検出部１２３で検出された指定の管理情報に含まれる第１のアドレスが内蔵ＨＤＤ１０５を指定するアドレスであった場合には、この第１のアドレスで指定された画像を内蔵ＨＤＤ１０５から読み出す（ステップＳ１５２）。
【００８２】
そして、移動先となるファイルサーバ３００に対してネットワーク接続要求を送信し、その応答を受信することで、表示装置１００とファイルサーバ３００とをネットワーク接続状態とする（ステップＳ１５３）。さらに、ファイルサーバ３００に対して画像移動要求を送信することで、画像移動設定を行う（ステップＳ１５４）。そして、表示装置１００は、画像データをファイルサーバ３００側に送信することで、画像移動部１３０による画像移動処理を実行する（ステップＳ１５５）。ファイルサーバ３００側では、表示装置１００から送信される画像データの受信および指定された第２のアドレスへの記録を行う（ステップＵ１５１）。
【００８３】
その後、ファイルサーバ３００から送信された応答情報を受信し、ＯＫの結果を取得すると（ステップＳ１５６）、内蔵ＨＤＤ１０５内の送信した画像を削除し（ステップＳ１５７）、管理情報更新部１３２は、管理ＤＢ１０５ｂに関して画像移動部１３０で移動した画像を管理する管理情報に含まれる第１のアドレスを第２のアドレスに更新する（ステップＳ１５８）。
【００８４】
ついで、画像の移動処理の他例について説明する。図２０は、画像の移動制御処理の他例を示す説明図である。ここでは、移動元となる第１のアドレスがファイルサーバ３００内のメモリであり、移動先となる第２のアドレスがＤＳＣ２００の記憶媒体２０９の場合を想定している。
【００８５】
まず、この処理は、管理ＤＢ１０５ｂに記憶された管理情報を指定して、その管理情報に対応する画像を第２のアドレスに移動する指示を指示検出部１２３が検出することにより行なわれる。移動指示を検出すると、移動元画像の選択および移動先の決定がなされる（ステップＳ１６１）。
【００８６】
そして、移動元となるファイルサーバ３００に対してネットワーク接続要求を送信し、その応答を受信することで、表示装置１００とファイルサーバ３００とをネットワーク接続状態とする（ステップＳ１６２）。また、移動先となるＤＳＣ２００に対してネットワーク接続要求を送信し、その応答を受信することで、表示装置１００とＤＳＣ２００とをネットワーク接続状態（無線ＬＡＮ接続状態）とする（ステップＳ１６３）。このような接続状態で、さらに、ファイルサーバ３００に対して画像移動要求を送信することで、ファイルサーバ３００からＤＳＣ２００に対しても画像移動要求を送信し、画像移動設定を行う（ステップＳ１６４）。
【００８７】
このような画像移動設定に従い、ファイルサーバ３００は、第１のアドレスの画像データをＤＳＣ２００に対して送信し（ステップＵ１６１）、ＤＳＣ２００は、ファイルサーバ３００から送信される画像データを受信し、記憶媒体２０９の第２のアドレスに記録する（ステップＴ１６１）。その後、ＤＳＣ２００からファイルサーバ３００にＯＫの応答が送信され、ファイルサーバ３００から送信された応答情報を表示装置１００が受信し、ＯＫの結果を取得すると（ステップＳ１６５）、管理情報更新部１３２は、管理ＤＢ１０５ｂに関して画像移動要求に応じて移動した画像を管理する管理情報に含まれる第１のアドレスを第２のアドレスに更新する（ステップＳ１６６）。また、ファイルサーバ３００においては、第１のアドレスの送信した画像を削除する（ステップＵ１６２）。
【００８８】
また、画像の移動処理のさらに他例について説明する。図２１は、画像の移動制御処理のさらに他例を示す説明図である。ここでは、移動元となる第１のアドレスがＤＳＣ２００内の記憶媒体２０９であり、移動先となる第２のアドレスがファイルサーバ３００の場合を想定している。ただし、図１７の表示システム構成において不図示のファイヤウォールなどによりセキュリティ上の理由でＤＳＣ２００がインターネットへのアクセスが禁止されている場合、あるいは図１に示したような表示システム１の構成により、ＤＳＣ２００がファイルサーバ３００と通信を確立できないため、直接転送できない場合を想定している。
【００８９】
まず、この処理は、管理ＤＢ１０５ｂに記憶された管理情報を指定して、その管理情報に対応する画像を第２のアドレスに移動する指示を指示検出部１２３が検出することにより行なわれる。移動指示を検出すると、移動元画像の選択および移動先の決定がなされる（ステップＳ１７１）。
【００９０】
そして、移動先となるファイルサーバ３００に対してネットワーク接続要求を送信し、その応答を受信することで、表示装置１００とファイルサーバ３００とをネットワーク接続状態とする（ステップＳ１７２）。また、移動元となるＤＳＣ２００に対してネットワーク接続要求を送信し、その応答を受信することで、表示装置１００とＤＳＣ２００とをネットワーク接続状態（無線ＬＡＮ接続状態）とする（ステップＳ１７３）。あるいは図１に示したシステム構成の場合は、ＵＳＢケーブルによって第１の通信部１０１，２１０を接続することによって表示装置１００とＤＳＣ２００とを接続状態としてもよい。
【００９１】
このような接続状態で、さらに、ＤＳＣ２００に対して画像移動要求を送信することで、ＤＳＣ２００からファイルサーバ３００に対しても画像移動要求を送信し、画像移動設定を行う（ステップＳ１７４）。すなわち、指示検出部１２３で検出された指定の管理情報に含まれる第１のアドレスがＤＳＣ２００内の記憶媒体２０９を指定するアドレスであるので、ＤＳＣ２００内の記憶媒体２０９に記憶されたこの第１のアドレスで指定された画像を第２のアドレスに移動させる移動要求を、要求送信部１２４が、第１の通信部１１１を介してＤＳＣ２００に送信する。そして、ＤＳＣ２００は、この移動要求をファイルサーバ３００に対して送信する。ただし、この際、上記のようにＤＳＣ２００とファイルサーバ３００は通信が確立しないため、ＤＳＣ２００からファイルサーバ３００に対する画像移動要求の送信は不可となる。
【００９２】
そして、応答受信部１２６は、要求送信部１２４により送信した移動要求に応じて、ＤＳＣ２００から送信された応答情報を受信することで、結果を取得する（ステップＳ１７５）。この場合、応答受信部１２６で受信した応答情報は、移動要求に従って前記指定された画像を移動させることができないことを通知する情報（ＥＲＲＯＲ）であるので、要求送信部１２４は、この指定された画像を要求する画像要求をＤＳＣ２００に送信する画像移動設定処理を行う（ステップＳ１７６）。
【００９３】
これに対応して、ＤＳＣ２００の画像送信部２２５は、第１のアドレスの画像データを表示装置１００に対して送信する（ステップＴ１７１）。表示装置１００では、画像受信部１２５が、要求送信部１２４により送信した画像要求に応じてＤＳＣ２００から送信された画像を受信する（ステップＳ１７７）。ＤＳＣ２００から送信された応答情報を表示装置１００が受信し、ＯＫの結果を取得すると（ステップＳ１７８）、ファイルサーバ３００に対して画像移動要求を送信することで、画像移動設定を行う（ステップＳ１７９）。そして、画像移動部１３０は、画像受信部１２５で受信した画像データを、ファイルサーバ３００に送信し（ステップＳ１８０）、ファイルサーバ３００がこの画像データを受信して第２のアドレスに記録する（ステップＵ１７１）ことで、第２のアドレスに移動する処理を行う。すなわち、直接転送が不可の場合、表示装置１００が画像データの転送を中継することで画像の移動が可能となる。
【００９４】
その後、ファイルサーバ３００から送信された応答情報を表示装置１００が受信し、ＯＫの結果を取得すると（ステップＳ１８１）、管理情報更新部１３２は、管理ＤＢ１０５ｂに関して画像移動要求に応じて移動した画像を管理する管理情報に含まれる第１のアドレスを第２のアドレスに更新する（ステップＳ１８２）。また、ＤＳＣ２００においては、画像削除部２２が第１のアドレスの送信した画像を削除し（ステップＴ１７２）、さらに、管理情報削除部２２９が、削除した画像に関する管理情報を削除する（ステップＴ１７３）。
【００９５】
このように、本発明の実施の形態１，２によれば、当該表示装置１００にＤＳＣ２００等の外部装置が接続されたことが検出されたら、その時点でＤＳＣ２００から画像を管理する管理情報を取得して管理ＤＢ１０５ｂに記憶することで、画像を管理するための最新の管理情報をＤＳＣ２００等の外部装置を含めて当該表示装置１００で一元管理するので、管理情報の指定による所望の画像を表示する指示があった場合には、一元管理している管理情報に従い、自身の内蔵ＨＤＤ１０５の画像メモリ１０５ａやＣＤ−ＲＯＭ等の記憶媒体１０７やＤＳＣ２００の記憶媒体２０９のような外部装置内のメモリから画像を取得して表示部１０９に表示させることができる。また、このように画像を管理するための最新の管理情報をＤＳＣ２００等の外部装置を含めて当該表示装置１００で一元管理するので、所望の画像を移動させたり削除させるといったアドレス変更を伴う編集処理を行うことも表示装置１００において容易に行うことができる。
【図面の簡単な説明】
【００９６】
【図１】本発明の実施の形態１の表示装置を備える表示システムの概略ハードウェア構成例を示すブロック図である。
【図２】ＤＳＣのＣＰＵが備える機能部を示す機能ブロック図である。
【図３】表示装置のＣＰＵが備える機能部を示す機能ブロック図である。
【図４】ＤＳＣにおける処理制御例を示す概略フローチャートである。
【図５】ＤＳＣに装着された記憶媒体内のファイル構成を示す説明図である。
【図６】ＤＳＣ内の記憶媒体に記録される画像管理情報の中身の一例を示す説明図である。
【図７】画像管理情報の中身の一例を示す説明図である。
【図８】画像管理情報の中身の一例を示す説明図である。
【図９】画像管理情報の中身の一例を示す説明図である。
【図１０】表示装置における処理制御例を示す概略フローチャートである。
【図１１】ステップＳ１０２，Ｓ１０３の処理例を示す概略フローチャートである。
【図１２】ＤＳＣによって作成された画像管理情報と縮小画像を、表示装置自身の内蔵ＨＤＤに取得した際の状態を示す説明図である。
【図１３】図１１に示した処理後の、表示装置の内蔵ＨＤＤ上のファイル構成を示す説明図である。
【図１４】管理ＤＢにおける画像管理情報のテーブル構造を示す模式図である。
【図１５】ステップＳ１０５に対応する表示システムにおける表示制御処理例を示す説明図である。
【図１６】削除制御処理例を示す説明図である。
【図１７】本発明の実施の形態２の表示装置を備える表示システムの概略ハードウェア構成例を示すブロック図である。
【図１８】２種類の通信方式の切換え制御例を示す概略フローチャートである。
【図１９】画像の移動制御処理例を示す説明図である。
【図２０】画像の移動制御処理の他例を示す説明図である。
【図２１】画像の移動制御処理のさらに他例を示す説明図である。
【符号の説明】
【００９７】
１  表示システム
１００  表示装置
１０１  第１の通信部
１０２  操作部
１０５ａ  画像メモリ
１０５ｂ  管理ＤＢ
１０７  記憶媒体
１０８  第２の通信部
１０９  表示部
１１１  第１の通信部
１２１  接続検出部
１２２  要求受信部
１２３  指示検出部
１２４  要求送信部
１２５  画像受信部
１２６  応答受信部
１２７  管理情報取得部
１２８  画像読み出し部
１２９  画像表示部
１３０  画像移動部
１３１  画像削除部
１３２  管理情報更新部
１３３  管理情報削除部
２００  ＤＳＣ
２０９  記憶媒体
２２１  管理情報生成部
２２２  縮小画像生成部
２２３  要求受信部
２２４  管理情報送信部
２２５  画像送信部
２２６  画像移動部
２２７  画像削除部
２２８  管理情報更新部
２２９  管理情報削除部
３００  ファイルサーバ
【図１】
2010212999.tif 000003
【図２】
2010212999.tif 000004
【図３】
2010212999.tif 000005
【図４】
2010212999.tif 000006
【図５】
2010212999.tif 000007
【図６】
2010212999.tif 000008
【図７】
2010212999.tif 000009
【図８】
2010212999.tif 000010
【図９】
2010212999.tif 000011
【図１０】
2010212999.tif 000012
【図１１】
2010212999.tif 000013
【図１２】
2010212999.tif 000014
【図１３】
2010212999.tif 000015
【図１４】
2010212999.tif 000016
【図１５】
2010212999.tif 000017
【図１６】
2010212999.tif 000018
【図１７】
2010212999.tif 000019
【図１８】
2010212999.tif 000020
【図１９】
2010212999.tif 000021
【図２０】
2010212999.tif 000022
【図２１】
2010212999.tif 000023